(57)【要約】【課題】  異なるサイズのカードの抜けを防止できるカード抜け防止機構を提供する。【解決手段】  カバー抜け防止機構１は、カバー３に設けられ、カードストッパ５と溝部１１ａ、１１ｂとで構成されている。カードストッパ５はカード受け部６と、カード受け部６の両端に設けられたロック部７ａ、７ｂを有している。  ロック部７ａ、７ｂの側面には凸部１３ａ、１３ｂが設けられ、凸部１３ａ、１３ｂは溝部１１ａ、１１ｂに係合されている。ロック部７ａ、７ｂを押圧して折り曲げると、係合が解除され、カードストッパ５が移動可能となる。カードストッパ５を所望の位置に移動させ、ロック部７ａ、７ｂへの押圧を解除すると、凸部１３ａ、１３ｂは溝部１１ａ、１１ｂに係合される。このように、カードの長さに応じてカードストッパ５を移動させ、カバー３とカードの間の隙間を埋めることができる。【選択図】      図３
2008225848.tif 000002
【特許請求の範囲】
【請求項１】
カード収納部を覆うカバーに設けられたカード抜け防止機構であって、
移動可能なカードストッパを有することを特徴とするカード抜け防止機構。
【請求項２】
前記カードストッパは、前記カード収納部に収納されるカードの長さに応じて移動可能であることを特徴とする請求項１記載のカード抜け防止機構。
【請求項３】
前記カバーの内壁に設けられ、前記カードストッパと係合する溝部を有し、
前記溝部は前記カードストッパの移動方向に平行な方向に設けられていることを特徴とする請求項２記載のカード抜け防止機構。
【請求項４】
前記溝部の断面形状は、波型であることを特徴とする請求項３記載のカード抜け防止機構。
【請求項５】
前記カードストッパは、
カード受け部と、
前記カード受け部に設けられ、折り曲げ可能な板状のロック部と、
前記ロック部の側面に設けられ、前記溝部と係合する凸部と、
を有し、
前記ロック部を内側に折り曲げることによって前記凸部と前記溝部の係合が解除され、
前記カードストッパが移動可能となることを特徴とする請求項３記載のカード抜け防止機構。
【請求項６】
前記ロック部は、前記ロック部を折り曲げる際に指を入れるための薄肉状の傾斜部を有することを特徴とする請求項５記載のカード抜け防止機構。
【請求項７】
前記溝部は、互いに対向するようにして前記カバーの内壁の２箇所に設けられ、
前記ロック部は前記カード受け部の両端にそれぞれ設けられていることを特徴とする請求項５記載のカード抜け防止機構。
【請求項８】
前記溝部と、前記ロック部の前記凸部とを係合させて第１の状態とし、
前記カードストッパを反転させて、前記溝部と、前記ロック部の前記凸部とを係合させて第２の状態とし、
前記第１の状態と前記第２の状態とで、前記カード受け部の位置が異なることを特徴とする請求項５記載のカード抜け防止機構。
【請求項９】
請求項１〜８のいずれかに記載のカード抜け防止機構が設けられていることを特徴とする、カード収納部を覆うカバー。
【請求項１０】
請求項９記載のカバーを有することを特徴とするハンディ端末。
【発明の詳細な説明】
【技術分野】
【０００１】
本発明は、カード収納部を覆うカバーに設けられ、カードの抜けを防止するカード抜け防止機構に関する。
【背景技術】
【０００２】
ハンディ端末等の情報機器は、外部記憶装置としてＰＣ（Personal Computer）カード、ＣＦ(Compact Flush)カード等のカードを収納可能としているものがある。
【０００３】
例えば、カードを収納できる情報機器及び当該情報機器に使用されるカードコネクタが特許文献１に開示されている。具体的に云えば、特許文献１は、挿入されたカードが抜け出して落ちるのを防止するために、カード挿入口に開閉および滑動自在なカード押え蓋と、当該カード押え蓋をロックするロック機構を備えたカードコネクタを明らかにしている。即ち、この種の情報機器では、防水性確保、落下時のカード保護のために、カード押え蓋等のカバーにより、カード収納部を覆う構成が採用されている。
【０００４】
一方、近年では、コネクタを共通とし、サイズの異なるカードをカード収納部に収納することがあり、この場合、サイズの最も大きなカードに対応した形状のカバーが、カード収納部を覆う構造となっている。
【０００５】
【特許文献１】特開２００３−１４２２０５号公報
【発明の開示】
【発明が解決しようとする課題】
【０００６】
しかしながら、このような構造では、カードのサイズによっては、カバーとの間に隙間を生じた状態で、カード収納部にカードが収納されることになる。この場合、機器に衝撃が加わった際などにカードがカード収納部から抜けてしまうという問題があった。
【０００７】
本発明は、このような問題に鑑みてなされたもので、その目的は、長さの異なるカードに対して利用可能なカード抜け防止機構を提供することにある。
【課題を解決するための手段】
【０００８】
前述した目的を達成するために、第１の発明は、カード収納部を覆うカバーに設けられたカード抜け防止機構であって、移動可能なカードストッパを有することを特徴とするカード抜け防止機構である。
【０００９】
前記カードストッパは、前記カード収納部に収納されるカードの長さに応じて移動可能である。
【００１０】
前記カード抜け防止機構は、前記カバーの内壁に設けられ、前記カードストッパと係合する溝部を有し、前記溝部は前記カードストッパの移動方向に平行な方向に設けられている。
【００１１】
前記溝部の断面形状は、例えば波型である。
【００１２】
前記カードストッパは、カード受け部と、前記カード受け部に設けられ、折り曲げ可能な板状のロック部と、前記ロック部の側面に設けられ、前記溝部と係合する凸部と、を有し、前記ロック部を内側に折り曲げることによって前記凸部と前記溝部の係合が解除され、前記カードストッパが移動可能となる。
【００１３】
前記ロック部は、前記ロック部を折り曲げる際に指を入れるための薄肉状の傾斜部を有していてもよい。
【００１４】
前記溝部は、互いに対向するようにして前記カバーの内壁の２箇所に設けられ、前記ロック部は前記カード受け部の両端にそれぞれ設けられていてもよい。
【００１５】
前記カード抜け防止機構は、前記溝部と、前記ロック部の前記凸部とを係合させて第１の状態とし、前記カードストッパを反転させて、前記溝部と、前記ロック部の前記凸部とを係合させて第２の状態とすることができ、この場合は前記第１の状態と前記第２の状態とで、前記カード受け部の位置が異なる。
【００１６】
第２の発明は、第１の発明記載のカード抜け防止機構が設けられていることを特徴とする、カード収納部を覆うカバーである。
【００１７】
第３の発明は、第２の発明記載のカバーを有することを特徴とするハンディ端末である。
【００１８】
第１の発明〜第３の発明ではカード抜け防止機構が、移動可能なカードストッパを備えており、カード収納部に収納されるカードの長さに応じてカードストッパを移動させて、カバーとカードの間の隙間を埋めることができ、隙間を埋めることによって、カードがカード収納部から抜けるのを防止できる。
【００１９】
また、第１の発明〜第３の発明では、溝部の断面形状が波型のピッチを有し、カードストッパの位置を溝部のピッチに応じて細かく調整することができる。
【００２０】
さらに、第１の発明〜第３の発明では、カードストッパがロック部を有し、ロック部を折り曲げることにより、カードストッパを簡単に移動及び固定することができる。従って、カードストッパの移動と固定を容易に行うことができる。
【００２１】
また、第１の発明〜第３の発明では、ロック部に薄肉状の傾斜部が設けられているため、容易にロック部を折り曲げることができる。
【００２２】
さらに、第１の発明〜第３の発明では、カードストッパを反転させてカバーに取り付けることができ、カバーとカードの隙間が、カードストッパの幅よりも小さい場合でも、カードストッパ５をカバー３に取り付けることができる。
【発明の効果】
【００２３】
本発明によれば、長さの異なるカードに対して利用可能なカード抜け防止機構を提供することができる。
【発明を実施するための最良の形態】
【００２４】
以下、図面に基づいて本発明に好適な実施形態を詳細に説明する。
【００２５】
まず、図１〜図８を参照して、本発明の実施形態に係るカード抜け防止機構１を備えたハンディ端末２を説明する。ここでは、ハンディ端末２として、ＰＯＳ（Point On Sale）端末が例示されている。
【００２６】
図１および図２に示されたハンディ端末２は、カード９（図２）を収納するカード収納部４を有し、カード収納部４は、図１及び図２からも明らかなように、開閉自在のカバー３によって覆われている。また、カード収納部４に収納されるカード９は、ＰＣカード、ＣＦカード等、異なるサイズを有していても良い。カード収納部４を覆うカバー３は、カード収納部４の防水やカード９の保護のために、箱型形状を有している。本発明に係るカード抜け防止機構１は、図２に示すように、カバー３の内側に設けられ、カード９のサイズに応じて、カード収納部４内を移動できるように構成されている。
【００２７】
図３〜図５を参照して、カバー３の内側に設けられる本発明に係るカード抜け防止機構１をより具体的に説明する。図示されたカード抜け防止機構１は、カード収納部４の内側にできる隙間１９ａ（図５参照）を埋めるためのカードストッパ５を備え、当該カードストッパ９は、カバー３の内側に沿って移動できるように構成されている。なお、隙間１９ａはカバー３を閉じた状態でカバー３とカード９の間に生じる隙間である。
【００２８】
カバー３の内壁には、互いに対向して設けられた１対の溝部１１ａ、１１ｂが設けられている。
【００２９】
図５に示すように、溝部１１ａ、１１ｂの断面形状は波型であり、カードストッパ５の移動方向であるＦ１、Ｆ２方向に平行に設けられている。
【００３０】
そして、溝部１１ａ、１１ｂとカードストッパ５とにより、本発明に係るカード抜け防止機構１を構成している。
【００３１】
図６および図７を参照して、本発明に係るカード抜け防止機構１を構成するカードストッパ５を更に具体的に説明する。図示されているように、カードストッパ５は長板状のカード受け部６と、当該カードストッパ５を溝部１１ａ、１１ｂに係合する、あるいは係合を解除するための板状のロック部７ａ、７ｂを備え、当該ロック部7ａ、７ｂはカード受け部６の両端に設けられている。図７に示すように、ロック部７ａとロック部７ｂは、カードストッパ５の剛性を保ち、カード受け部６の変形を防ぐための連結部１７によって連結され、当該連結部１７はカードストッパ５の一部を構成している。
【００３２】
なお、ロック部７ａ、７ｂは後述するように、係合を解除する際に折り曲げるため、折り曲げ可能な弾性体の材料で構成される。このような材料としては例えばプラスチック等が挙げられる。
【００３３】
ロック部７ａ、７ｂの外側の側面には凸部１３ａ、１３ｂが設けられている。
【００３４】
また、ロック部７ａ、７ｂを折り曲げる際に指を入れるための傾斜部１５ａ、１５ｂがロック部７ａ、７ｂの上端に設けられている。
【００３５】
図８に示すように、傾斜部１５ｂは、ロック部７ｂの外周側に向けて徐々に薄肉になっている。傾斜部１５ａも傾斜部１５ｂと同様に、ロック部７ａの外周側に向けて徐々に薄肉になっている。
【００３６】
図６および図７を再度参照すると、ロック部７ａ、７ｂを折り曲げやすくするための切れ込み２３ａ、２３ｂがロック部７ａ、７ｂにおいて凸部１３ａ、１３ｂの下側に設けられている。
【００３７】
図５に示すように、凸部１３ａ、１３ｂが溝部１１ａ、１１ｂに係合されることにより、カードストッパ５がカバー３の内側に移動可能に位置づけられる。
【００３８】
そして、カード受け部６が隙間１９ａを埋めることによって、カード９の移動を規制し、カード９がカード収納部４から抜けるのを防ぐ。
【００３９】
次に、図９〜図１３を参照して、カードストッパ５を移動させる際のカード抜け防止機構１の動作について説明する。
【００４０】
カードストッパ５を図９に示された位置から、カードストッパ５を移動させたい場合、まず、ロック部７ａ、７ｂを図９のカードストッパ５の内側方向で、Ｄ１、Ｄ２の向きに押圧して折り曲げる。
【００４１】
なお、Ｄ１、Ｄ２方向は、カードストッパ５の移動の向き（図９のＦ１、Ｆ２の向き）と略直角の向きで、かつカードストッパ５の内側の向きである。
【００４２】
ロック部７ａをＤ１の向きに折り曲げると、図１０に示すように、凸部１３ａは溝部１１ａから外れ、係合が解除される。
【００４３】
同様に、図示は省略するが、ロック部７ｂもＤ２の向きに折り曲げると、凸部１３ｂは溝部１１ｂから外れ、係合が解除される。
【００４４】
なお、ロック部７ｂの傾斜部１５ａは薄肉状であるため、図９に示すように、傾斜部１５ａとカバー３の間には隙間２１ａが生じる。
【００４５】
従って、隙間２１ａに指を入れて傾斜部１５ａをＤ１の向きに押圧することにより、容易にロック部７ａを折り曲げることができる。ロック部７ｂも同様である。
【００４６】
また、ロック部７ａ、７ｂには切れ込み２３ａ、２３ｂが設けられているため（図６、図７参照）連結部１７の抵抗を受けることなく、容易にロック部７ａ、７ｂを折り曲げることができる。ロック部７ａ、７ｂを折り曲げた状態では、カードストッパ５はＦ１、Ｆ２の向きに移動可能となる。
【００４７】
次に、ロック部７ａ、７ｂを折り曲げた状態で、カードストッパ５をＦ１、Ｆ２の向きに移動させ、所望の位置に位置づけ、ロック部７ａ、７ｂへの押圧を解除する。
【００４８】
ロック部７ａ、７ｂは弾性体であるため、折り曲げられた状態から、図９に示すような元の状態へと戻る。
【００４９】
従って、凸部１３ａ、１３ｂは再び溝部１１ａ、１１ｂに係合され、カードストッパ５はカバー３に固定される。
【００５０】
このようにして、カード９の長さに応じてカードストッパ５をＦ１、Ｆ２の向きに移動させることができ、カバー３とカード９の間の隙間１９ａを埋めることができる。
【００５１】
なお、溝部１１ａ、１１ｂは断面形状が波型であるため、カードストッパ５は溝部１１ａ、１１ｂのピッチに応じて細かく固定位置を調整することができる。
【００５２】
一方、カード９のサイズが大きい場合、図１１のようにカード９とカバー３の隙間１９ｂが、カードストッパ５の移動の向き幅１９ｃより小さくなる場合も考えられる。
【００５３】
この状態でカバー３を閉じようとすると、カードストッパ５とカード９の表面が接触してしまい、カバー３を完全に閉じることができない。従って、図１１の状態ではカードストッパ５をカバー３に取り付けることができない。
【００５４】
この場合は、図１２および図１３に示すように、カードストッパ５を図１１の状態から反転させてカバー３に取り付ける。
【００５５】
この状態では、カバー３を閉じようとしても、カードストッパ５とカード９の表面が接触しないので、カバー３を完全に閉じることができる。
【００５６】
即ち、図１２の状態では、カバー３とカード９の隙間１９ｂが、カードストッパ５の幅１９ｃよりも小さい場合でも、カードストッパ５をカバー３に取り付けることができる。
【００５７】
このように、本実施形態によれば、カード抜け防止機構１は溝部１１ａ、１１ｂとカードストッパ５を有し、カードストッパ５はカード９の長さに応じて移動可能である。
【００５８】
従って、カード９の長さに応じてカード９とカバー３の隙間１９ａを埋めることができ、カード９がカード収納部４から抜けるのを防止できる。
【００５９】
また、本実施形態によれば、溝部１１ａ、１１ｂの断面形状は波型のピッチを有し、カードストッパ５の位置を溝部１１ａ、１１ｂのピッチに応じて細かく調整することができる。
【００６０】
さらに、本実施形態によれば、カードストッパ５はロック部７ａ、７ｂを有し、ロック部７ａ、７ｂを折り曲げることにより、カードストッパ５を簡単に移動させ、且つ、固定させることができる。
【００６１】
また、本実施形態によれば、ロック部７ａ、７ｂには薄肉状の傾斜部１５ａ、１５ｂが設けられているため、容易にロック部７ａ、７ｂを折り曲げることができる。
【００６２】
また、本実施形態によれば、ロック部７ａ、７ｂには切れ込み２３ａ、２３ｂが設けられているため、連結部１７の抵抗を受けることなく、容易にロック部７ａ、７ｂを折り曲げることができる。
【００６３】
さらに、本実施形態によれば、カードストッパ５を反転させてカバー３に取り付けることができる。従って、カバー３とカード９の隙間１９ｂが、カードストッパ５の幅１９ｃよりも小さい場合でも、カードストッパ５をカバー３に取り付けることができる。
【産業上の利用可能性】
【００６４】
上記した実施形態では、本発明をＰＯＳ端末に適用した場合について説明したが、本発明は、何等、これに限定されることなく、例えば、カードを利用し、抜け止めを必要とするすべての機器に用いることができる。
【図面の簡単な説明】
【００６５】
【図１】ハンディ端末２を示す斜視図である。
【図２】図１でカバー３を開いた状態を示す斜視図である。
【図３】図２のカバー３を示す斜視図である。
【図４】図３の分解斜視図である。
【図５】図３のＡ−Ａ断面図である。
【図６】カードストッパ５を示す斜視図である。
【図７】図６のＢ方向矢視図である。
【図８】図７のロック部７ｂ付近のＣ方向矢視図（平面図）である。
【図９】図３のロック部７ａ付近のＥ方向矢視図（平面図）である。
【図１０】図９でロック部７ａを折り曲げた時の状態を示す図である。
【図１１】図５の変形例を示す図である。
【図１２】図５の変形例を示す図である。
【図１３】図１２の斜視図である。
【符号の説明】
【００６６】
１      カード抜け防止機構
２      ハンディ端末
３      カバー
４      カード収納部
５      カードストッパ
６      カード受け部
７ａ    ロック部
９      カード
１１ａ    溝部
１３ａ    凸部
１５ａ    傾斜部
１７      連結部
１９ａ    隙間
１９ｂ    隙間
１９ｃ    幅
２１ａ    隙間
２３ａ    切れ込み
【図１】
2008225848.tif 000003
【図２】
2008225848.tif 000004
【図３】
2008225848.tif 000005
【図４】
2008225848.tif 000006
【図５】
2008225848.tif 000007
【図６】
2008225848.tif 000008
【図７】
2008225848.tif 000009
【図８】
2008225848.tif 000010
【図９】
2008225848.tif 000011
【図１０】
2008225848.tif 000012
【図１１】
2008225848.tif 000013
【図１２】
2008225848.tif 000014
【図１３】
2008225848.tif 000015